(57)【要約】【課題】  一次電線に加わる引張り応力が緩和し、熱衝撃により繰り返し応力による断線を防止することのできる内燃機関用点火コイルを提供すること。【解決手段】  一次電線を固定している端末板を曲げると同時に、一次電線も同時に曲がる構造を有する内燃機関用点火コイルであって、前記一次電線の引き出し位置と、端末板の折り曲げ位置をオフセットさせ、前記端末板を曲げた際に前記一次電線が弛む構成としたので、一次電線に加わる引張り応力が緩和され、熱衝撃により繰り返し応力による断線を防止することができる。【選択図】  図１
2005302863.tif 000002
【特許請求の範囲】
【請求項１】
一次電線を固定している端末板を曲げると同時に、一次電線も同時に曲がる構造を有する内燃機関用点火コイルであって、
前記一次電線の引き出し位置と、端末板の折り曲げ位置をオフセットさせ、前記端末板を曲げた際に前記一次電線が弛む構成としたことを特徴とする内燃機関用点火コイル。
【請求項２】
前記端末板を一次コイルボビンに取り付ける位置と、一次コイルボビンから一次電線を引き出す位置とが端末板の折り曲げ方向にオフセットされたことを特徴とする請求項１に記載の内燃機関用点火コイル。
【請求項３】
前記一次電線の引き出し端部は、前記端末板に係合されたことを特徴とする請求項１または２に記載の内燃機関用点火コイル。
【発明の詳細な説明】
【技術分野】
【０００１】
本発明は、自動車等の内燃機関の点火プラグに高電圧を供給し、火花放電を行うための内燃機関用点火コイルに関するものである。
【背景技術】
【０００２】
一般に、内燃機関用点火コイルは、珪素鋼板を所定の形状に打ち抜き、積層して鉄心を閉磁路を形成するべく配設し、一次コイル１に流した電流によって鉄心に発生する磁束変化により、二次コイル２に高圧電流を発生するものである。そして、このように構成された内燃機関用点火コイルは、鉄心とともに絶縁ケース内に収容し、絶縁ケース内に注型した熱硬化性絶縁樹脂によって固定される。
【０００３】
内燃機関用点火コイルの一般的な例として、特開２００１−６９５４号に示すものが知られている。ここで、内燃機関用点火コイルは、一次コイルを巻回した一次コイルボビンの外周に二次コイルを巻回した二次コイルボビンを重ね合せ、鉄心とともに絶縁ケース内に収容される。鉄心は、外環鉄心と外環鉄心の内部を横切るセンター鉄心とからなる閉磁路型鉄心である。
【特許文献１】特開２００１−６９５４号公報。
【０００４】
また、図３に破線で示すように一次コイル１の端部電線１ａは、端末板３と同一の引き出し位置から引き出されており、始め真っ直ぐに取り付けられている。これを、端末板３と端部電線１ａを一次ソケットと接続するべく、一緒に上に折り曲げて製品とする。
【発明の開示】
【発明が解決しようとする課題】
【０００５】
しかし、以上のように構成された従来の内燃機関用点火コイルにおいては、図３に示すように端末板を折り曲げた際に、一次電線が常に引張られて、引張り応力が発生していた。このような内燃機関用点火コイルを絶縁ケース内に収容して熱硬化性絶縁樹脂によって固定した場合、内燃機関用点火コイルに熱衝撃が加わった際に、一次電線に繰り返し応力が発生して断線し易いと云う課題が存在した。
【０００６】
本発明は、上記実情に鑑み提案されたもので、一次電線の引き出し位置と端末板の折り曲げ位置をオフセットさせ、端末板を曲げた際に一次電線が弛む構成とした内燃機関用点火コイルを提供することを目的とする。
【課題を解決するための手段】
【０００７】
上記目的を達成するために、請求項１に記載の発明は、一次電線を固定している端末板を曲げると同時に、一次電線も同時に曲がる構造を有する内燃機関用点火コイルであって、前記一次電線の引き出し位置と、端末板の折り曲げ位置をオフセットさせ、前記端末板を曲げた際に前記一次電線が弛む構成としたことを特徴とする。
【０００８】
また、請求項２に記載の発明は、前記端末板を一次コイルボビンに取り付ける位置と、一次コイルボビンから一次電線を引き出す位置とが端末板の折り曲げ方向にオフセットされたことを特徴とする。
【０００９】
また、請求項３に記載の発明は、前記一次電線の引き出し端部は、前記端末板に係合されたことを特徴とする。
【発明の効果】
【００１０】
この発明は上記した構成からなるので、以下に説明するような効果を奏することができる。
【００１１】
請求項１に記載の発明では、一次電線を固定している端末板を曲げると同時に、一次電線も同時に曲がる構造を有する内燃機関用点火コイルであって、前記一次電線の引き出し位置と、端末板の折り曲げ位置をオフセットさせ、前記端末板を曲げた際に前記一次電線が弛む構成としたので、絶縁ケース内に収容して熱硬化性絶縁樹脂で固定した場合に、熱衝撃が加わっても一次電線が繰り返し応力によって断線するのを防止することができる。
【００１２】
また、請求項２に記載の発明では、前記端末板を一次コイルボビンに取り付ける位置と、一次コイルボビンから一次電線を引き出す位置とが端末板の折り曲げ方向にオフセットされたので、端末板を折り曲げた際に一次電線が必ず弛み、内燃機関用点火コイルに熱衝撃が加わっても断線するのを防止することができる。
【００１３】
また、請求項３に記載の発明では、前記一次電線の引き出し端部は、前記端末板に係合されたので、端末板を折り曲げるだけで一次電線の引き出し端部も同時に折れ曲がり、作業の効率を向上することができる。また、端末板を折り曲げた後に、一次電線が弛むので余計な張力により引張り応力の発生を防止することができる。
【発明を実施するための最良の形態】
【００１４】
一次電線に加わる引張り応力を緩和し、熱衝撃により繰り返し応力による断線を防止するという目的を一次電線の引き出し位置と端末板の折り曲げ位置をオフセットさせることにより実現した。
【実施例】
【００１５】
以下、一実施の形態を示す図面に基づいて本発明を詳細に説明する。図１は本発明に係る内燃機関用点火コイルの組立過程を示す要部説明図、図２は本発明の内燃機関用点火コイルの全体を示す側面図である。ここで、内燃機関用点火コイル１０は、一次電線１１を固定している端末板１２を曲げると同時に、一次電線１１も同時に曲がる構造を有するものであって、一次電線１１の引き出し位置１３と、端末板の折り曲げ位置１４を上下方向にＨだけオフセットさせている。
【００１６】
図１に示すように端末板１２は、一次コイル１のコイルボビン１５の端部から、始めは水平に突出している。一次電線１１も破線で示すようにコイルボビン１５の端部から端末板１２に沿って突出しており、端部電線１１ａは、端末板１２の一部に係合している。
【００１７】
以上のように構成された内燃機関用点火コイルを組立てる場合には、先ず端末板１２を矢印方向に折り曲げる。この際、一次電線１１の引き出し位置１３と、端末板の折り曲げ位置１４を上下方向にＨだけオフセットさせているので、折り曲げても一次電線１１に引張り応力が生じることがない。このように構成した点火コイルを絶縁ケース内に収容した後、絶縁性合成樹脂を注入して固定する。したがって、内燃機関用点火コイルに熱衝撃が繰り返し加わっても、一次電線１１が断線する虞れがない。
【００１８】
このように本発明の内燃機関用点火コイルによれば、熱応力による一次電線の断線を未然に防止することができる。
【図面の簡単な説明】
【００１９】
【図１】図１は、本発明に係る内燃機関用点火コイルの組立過程を示す要部説明図である。
【図２】図２は、同内燃機関用点火コイルの全体を示す側面図である。
【図３】図３は、従来の内燃機関用点火コイル用鉄心の組立過程の一例を示す要部説明図である。
【符号の説明】
【００２０】
１        一次コイル
２        二次コイル
３        端末板
１０        内燃機関用点火コイル
１１        一次電線
１１ａ      端部電線
１２        端末板
１３        引き出し位置
１４        折り曲げ位置
１５        コイルボビン
【図１】
2005302863.tif 000003
【図２】
2005302863.tif 000004
【図３】
2005302863.tif 000005